(57)【要約】  一例の実施形態はケーブル・クリップを含む。ケーブル・クリップは、光インタフェースの光電気モジュールに備えられるレンズ・アセンブリとの係合を維持するように構成されている。ケーブル・クリップは、前方部、クリップ本体、コネクタ保持機構、レンズ・ラッチ及びリリース・レバーを備える。クリップ本体は、クリップ肩部において前方部に接続される。コネクタ保持機構は、光インタフェースを保持するように構成されており、クリップ本体から延在する。レンズ・ラッチは第１端部に配置されている。そのレンズ・ラッチは、光インタフェースの一部分がレンズ・アセンブリ内に受け取られるとき、そのレンズ・アセンブリをラッチするように構成されている。リリース・レバーは前方部に接続されている。このリリース・レバーは、特定の閾値の大きさを上回る作動力が加わることに応じてレンズ・アセンブリからレンズ・ラッチのラッチを解除するように構成されている。
2016522439.tif 000002
【特許請求の範囲】
【請求項１】
光インタフェースと光電気モジュールに備えられるレンズ・アセンブリとの係合を維持するように構成されているケーブル・クリップであって、
前方部と、
クリップ肩部において前記前方部に接続されるクリップ本体と、
光インタフェースを保持するように構成されており、前記クリップ本体から延在するコネクタ保持機構と、
第１端部に配置され、前記光インタフェースの一部分が前記レンズ・アセンブリ内に受け取られるとき、前記レンズ・アセンブリをラッチするように構成されている、レンズ・ラッチと、
前記前方部に接続されているリリース・レバーであって、特定の閾値の大きさを上回る作動力が加わることに応じて前記レンズ・アセンブリから前記レンズ・ラッチのラッチを解除するように構成されている、リリース・レバーとを備える、ケーブル・クリップ。
【請求項２】
前記コネクタ保持機構は、
前記光インタフェースを少なくとも部分的に囲むように構成されている保持腕部と、
前記光インタフェースを支持するように構成されている後部インタフェース支持部とを備える、請求項１に記載のケーブル・クリップ。
【請求項３】
前記リリース・レバーは、前記光電気モジュールのモジュール・ハウジングに形成される二次ラッチ開口部に係合するように構成されている二次ラッチを有する、請求項１に記載のケーブル・クリップ。
【請求項４】
前記二次ラッチは、作用力が加わることに応じて前記二次ラッチ開口部から脱係合するように構成されている、請求項３に記載のケーブル・クリップ。
【請求項５】
前記リリース・レバーは、前記リリース・レバーの一部分が前記光電気モジュールのモジュール・ハウジングから突出するように形成される、請求項１に記載のケーブル・クリップ。
【請求項６】
前記コネクタ保持機構は後部インタフェース支持部を備え、前記後部インタフェース支持部は、前記コネクタ保持機構に保持されている前記光インタフェースに対し保持力を加えるように構成されている、請求項１に記載のケーブル・クリップ。
【請求項７】
前記レンズ・ラッチは、前記光インタフェースが前記レンズ・アセンブリの中に導入されるときに、前記ケーブル・クリップと前記レンズ・アセンブリとの間の干渉を減らすように構成されている丸み部分を有する、請求項１に記載のケーブル・クリップ。
【請求項８】
光電気モジュールのモジュール・ハウジング内に少なくとも部分的に配置されるように構成されているコネクタ・アセンブリであって、
ケーブル・クリップであって、前記ケーブル・クリップがラッチされている場合に光インタフェースとレンズ・アセンブリとの間の係合を維持し、前記ケーブル・クリップがラッチを解除されている場合に前記レンズ・アセンブリからコネクタを脱係合させるように構成されており、前記コネクタが前記レンズ・アセンブリにより受け取られるときにリリース・レバーの一部分が前記モジュール・ハウジングから突出するように、前記モジュール・ハウジングに関連してサイズを決定された前記リリース・レバーを備え、前記リリース・レバーは、前記モジュール・ハウジングから突出する前記リリース・レバーの前記一部分に対し作動力が加わることに応じて、前記ケーブル・クリップのラッチを解除するように構成されている、ケーブル・クリップと、
前記コネクタ及び前記ケーブル・クリップを少なくとも部分的に囲むように構成されているダストシールであって、前記コネクタとモジュール開口部との間の空間を実質的に満たすようにサイズを決定されており、前記コネクタ・アセンブリは前記モジュール開口部を通じて前記モジュール・ハウジングの中に導入される、ダストシールとを備える、コネクタ・アセンブリ。
【請求項９】
前記ケーブル・クリップは、前記ケーブル・クリップに対して前記コネクタを保持するように構成されているコネクタ保持機構を備える、請求項８に記載のコネクタ・アセンブリ。
【請求項１０】
前記コネクタ保持機構は、前記コネクタの後面に対して保持力を加えるように構成されている後部インタフェース支持部を備える、請求項９に記載のコネクタ・アセンブリ。
【請求項１１】
前記ケーブル・クリップは、弾性的に曲がり前記保持力を加えるように構成されている後部インタフェース支持部を備える、請求項１０に記載のコネクタ・アセンブリ。
【請求項１２】
前記ケーブル・クリップは前方部の第１端部に配置されるレンズ・ラッチを有し、前記レンズ・ラッチは、前記コネクタが前記レンズ・アセンブリにより受け取られるときに前記レンズ・アセンブリの前面に接触するように構成されている、請求項８に記載のコネクタ・アセンブリ。
【請求項１３】
前記リリース・レバーは、前記作動力が加わることに応じて前記レンズ・アセンブリから脱係合するように構成されている、請求項１２に記載のコネクタ・アセンブリ。
【請求項１４】
前記リリース・レバーは、前記モジュール・ハウジングに形成される二次ラッチ開口部に係合するように構成されている二次ラッチを有し、
前記リリース・レバーは、前記作動力に応じて前記二次ラッチ開口部から脱係合するように構成されている、請求項１３に記載のコネクタ・アセンブリ。
【請求項１５】
前記ケーブル・クリップは、
前方部と、
複数のクリップ肩部において前記前方部に接続されるクリップ本体と、
前記前方部に接続されるリリース・レバーと、
前記コネクタを保持するように構成され、前記クリップ本体に接続されるコネクタ保持機構と、
前記コネクタ保持機構から延在する複数のレンズ安定化腕部であって、該複数のレンズ安定化腕部の間に前記レンズ・アセンブリを拘束するように構成されているレンズ安定化腕部とを備え、
前記前方部は前記リリース・レバーに対し保持力が加わることに応じて回動するように構成されており、前記複数のクリップ肩部は前記前方部の前記回動に関係して前記コネクタ保持機構の回動を減少させるように構成されている、請求項８に記載のコネクタ・アセンブリ。
【請求項１６】
前記ダストシールは、前記ケーブル・クリップを前記ダストシールに取り付けるように構成されている取付構造を有する、請求項８に記載のコネクタ・アセンブリ。
【請求項１７】
２４チャネルのデータを通信するように構成されている２４個の光チャネルを有する機械式トランスファー（ＭＴ）コネクタと、２５ギガバイト毎秒（Ｇ）以上でデータを通信するように構成されている光電気モジュールに備えられるレンズ・アセンブリとの間の係合を維持するように構成されているケーブル・クリップであって、
クリップ本体と、
前記ＭＴコネクタを保持するように構成されており、前記クリップ本体から延在するコネクタ保持機構と、
複数のクリップ肩部によって前記クリップ本体に対し取り付けられる前方部と、
前記前方部の端部に配置されており、前記ＭＴコネクタが前記レンズ・アセンブリ内に受け取られるとき、前記レンズ・アセンブリの前面に対してラッチ力を加えるように構成されているレンズ・ラッチと、
前部分から延在し、モジュール・ハウジングから部分的に突出するようにサイズを決定されているリリース・レバーであって、前記リリース・レバーに対して作動力が加わることに応じて前記前方部を回動するように構成されているリリース・レバーとを備える、ケーブル・クリップ。
【請求項１８】
前記コネクタ保持機構は、
前記ＭＴコネクタの被支持部分を少なくとも部分的に囲み、前記ＭＴコネクタの挿入可能部分を囲まないように構成されている保持腕部と、
前記ケーブル・クリップに対して前方の位置に光インタフェースを維持するために、前記ＭＴコネクタの後面に対して第１の保持力を加えるように構成されている保持ばね腕部と、
上方支持部及び水平支持部であって、それらの間に前記ＭＴコネクタの後部分を支持するように構成されている、上方支持部及び水平支持部とを有する、請求項１７に記載のケーブル・クリップ。
【請求項１９】
前記コネクタ保持機構から延在する複数のレンズ安定化腕部をさらに備え、前記複数のレンズ安定化腕部は前記複数のレンズ安定化腕部の間に前記レンズ・アセンブリを拘束するように構成されている、請求項１８に記載のケーブル・クリップ。
【請求項２０】
前記リリース・レバーは前記光電気モジュールのモジュール・ハウジングに形成される二次ラッチ開口部に係合するように構成されている二次ラッチを有し、前記二次ラッチは、作用力が加わることに応じて前記二次ラッチ開口部から脱係合するようにさらに構成されている、請求項１８に記載のケーブル・クリップ。
【発明の詳細な説明】
【技術分野】
【０００１】
本明細書で開示される実施形態は、光学部品に関する。特に、本明細書に記載の一部の実施形態は、光電気モジュールと共に使用され得るケーブル・クリップ及びケーブル管理構造に関する。
【背景技術】
【０００２】
一部のデータ送信は、光信号の電気信号への変換、及び／又は電気信号の光信号への変換を含む。一部の適用例において、この変換は回路基板で起こる。例えば、１つ以上の光信号を伝送する光ケーブルは、基板実装光学エンジンなどの光電気モジュールとインタフェース接続され得る。光学エンジンでは、それらの光信号は光受信機を使用して光信号から電気信号へと形態変換され得る。電気信号は、その後、回路基板中に一体化されているエッチングされた銅トレースに沿って、宛先に通信されることができる。同様に、電気信号は銅トレースに沿って基板実装光学エンジンに対して通信されることができる。基板実装光学エンジンでは、電気信号は光送信機によって光信号に形態変換され得る。光信号は、その後、光電気モジュールとインタフェース接続される同一の又は異なる光ケーブルに沿って、さらに通信されることができる。一部の基板実装光学エンジンにおいて、レンズ・アセンブリはプラグ式ケーブル・コネクタなどの光インタフェースを受け取るように構成され得る。光インタフェースは、一般に、光データを基板実装光学エンジンに対して通信する、及び基板実装光学エンジンから通信する、１つ以上の光ケーブルをサポートする。レンズ・アセンブリに受け取られるとき、そのレンズ・アセンブリに対する光インタフェースのアライメントと、そのレンズ・アセンブリ内の光インタフェースの保持とは、光データの確実で適正な通信を助け得る。しかし、光ケーブル及び／又はプラグ式ケーブル・コネクタに対して加えられる機械的負荷によって、光インタフェースが意図せずしてレンズ・アセンブリから脱係合されるか、光インタフェースとレンズ・アセンブリとの間のアライメント不良が起こり得る。
【０００３】
本明細書において特許を請求する主題は、上述の欠点を解決する実施形態や、上述の環境においてのみ動作する実施形態に限られない。むしろ、本背景技術は、本明細書に記載の一部の実施形態が用いられる技術分野の一つの例を説明するために提供されているにすぎない。
【図面の簡単な説明】
【０００４】
【図１Ａ】一例の光電気モジュールを説明する外観図。
【図１Ｂ】一例の光電気モジュールを説明する断面図。
【図１Ｃ】一例の光電気モジュールを説明する部分分解図。
【図１Ｄ】一例の光電気モジュールを説明する部分分解図。
【図２Ａ】図１Ａ〜１Ｄの光電気モジュールに実装され得る一例のケーブル・クリップ（クリップ）を説明する斜視図。
【図２Ｂ】図１Ａ〜１Ｄの光電気モジュールに実装され得る一例のケーブル・クリップ（クリップ）を説明する側面図。
【図２Ｃ】図１Ａ〜１Ｄの光電気モジュールに実装され得る一例のケーブル・クリップ（クリップ）を説明する正面図。
【図３Ａ】一例のコネクタを保持している図２Ａ〜２Ｃのクリップを説明する側面図。
【図３Ｂ】一例のコネクタを保持している図２Ａ〜２Ｃのクリップを説明する斜視図。
【図４Ａ】一例のレンズ・アセンブリに係合するコネクタを保持するクリップを説明する斜視図。
【図４Ｂ】一例のレンズ・アセンブリに係合するコネクタを保持するクリップを説明する側面図。
【図５Ａ】一例のダストシールを備えるクリップを説明する斜視図。
【図５Ｂ】一例のダストシールを備えるクリップを説明する部分分解図。
【図６Ａ】一例の多モジュール実装を説明する斜視図。
【図６Ｂ】一例の多モジュール実装を説明する側断面図。
【発明を実施するための形態】
【０００５】
一例の実施形態は、ケーブル・クリップを含む。ケーブル・クリップは、光インタフェースと光電気モジュールに備えられるレンズ・アセンブリとの係合を維持するように構成されている。ケーブル・クリップは、前方部、クリップ本体、コネクタ保持機構、レンズ・ラッチ及びリリース・レバーを備える。クリップ本体は、クリップ肩部において前方部に接続される。コネクタ保持機構は光インタフェースを保持するように構成されており、クリップ本体から延在する。レンズ・ラッチは、第１端部に配置されている。そのレンズ・ラッチは、光インタフェースの一部分がレンズ・アセンブリ内に受け取られるとき、そのレンズ・アセンブリをラッチするように構成されている。リリース・レバーは、前方部に接続されている。このリリース・レバーは、特定の閾値の大きさを上回る作動力が加わることに応じてレンズ・アセンブリからレンズ・ラッチのラッチを解除するように構成されている。
【０００６】
別の一例の実施形態は、コネクタ・アセンブリを含む。コネクタ・アセンブリは、光電気モジュールのモジュール・ハウジング内に少なくとも部分的に配置されるように構成されている。コネクタ・アセンブリは、ケーブル・クリップとダストシールとを備える。ケーブル・クリップは、そのケーブル・クリップがラッチされている場合に光インタフェースとレンズ・アセンブリとの間の係合を維持し、そのケーブル・クリップがラッチを解除されている場合にレンズ・アセンブリからコネクタを脱係合させるように構成されている。ケーブル・クリップは、コネクタがレンズ・アセンブリに受け取られるときにそのリリース・レバーの一部分がモジュール・ハウジングから突出するように、モジュール・ハウジングに関連してサイズを決定されたリリース・レバーを備える。リリース・レバーは、モジュール・ハウジングから突出するそのリリース・レバーの一部分に対する作動力が加わることに応じて、ケーブル・クリップのラッチを解除するように構成されている。ダストシールは、コネクタ及びケーブル・クリップを少なくとも部分的に囲むように構成されている。ダストシールは、コネクタとモジュール開口部との間の空間を実質的に満たすようにサイズを決定されており、コネクタ・アセンブリはモジュール開口部を通じてモジュール・ハウジングの中に導入される。
【０００７】
別の一例の実施形態は、ケーブル・クリップを含む。ケーブル・クリップは、２４チャネルのデータを通信するように構成されている２４個の光チャネルを有する機械式トランスファー（ＭＴ）コネクタと、２５ギガバイト毎秒（Ｇ）以上でデータを通信するように構成されている光電気モジュールに備えられるレンズ・アセンブリとの間の係合を維持するように構成されている。ケーブル・クリップは、クリップ本体、コネクタ保持機構、前方部、レンズ・ラッチ及びリリース・レバーを備える。コネクタ保持機構は、ＭＴコネクタを保持するように構成されており、クリップ本体から延在する。前方部は、クリップ肩部によってクリップ本体に対し取り付けられる。レンズ・ラッチは、前方部の第１端部に配置されている。そのレンズ・ラッチは、ＭＴコネクタがレンズ・アセンブリ内に受け取られるとき、そのレンズ・アセンブリの前面に対してラッチ力を加えるように構成されている。リリース・レバーは前部分から延在しており、モジュール・ハウジングから部分的に突出するようにサイズを決定されている。リリース・レバーは、そのリリース・レバー
に対する作動力が加わることに応じて前方部を回動するように構成されている。
【０００８】
本実施形態の目的と利点は、少なくとも特許請求の範囲に特に挙げられている要素、特徴及びそれらの組み合わせによって理解され、成し遂げられる。
前述の一般の記述と後述の詳細な記述との両方は典型的かつ説明的であり、特許請求の範囲に示される本発明を限定するものではないことが理解される。
【０００９】
添付の図面によって、例示の実施形態をさらに具体的にかつ詳細に記載し、説明する。
本明細書に開示される実施形態は、光学部品に関する。とりわけ、一部の例示の実施形態は、光電気モジュールにおいて使用され得るケーブル・クリップと、その光電気モジュールに備えられ得る一部の追加の構造的特徴とに関する。
【００１０】
一例の実施形態は、コネクタと光学エンジンのレンズ・アセンブリとの係合を維持するように構成されているケーブル・クリップ（クリップ）を含む。クリップは、また、そのコネクタを、光学エンジンを分解することなくそのレンズ・アセンブリから脱係合させ得る。クリップは、前方部、コネクタ保持機構、レンズ・ラッチ及びリリース・レバーを備える。コネクタ保持機構は、レンズ・アセンブリによってコネクタが受け取られる位置にそのコネクタを保持するように構成されている。レンズ・ラッチは、前方部の第１端部に配置される。レンズ・ラッチは、コネクタがレンズ・アセンブリ内に受け取られるとき、そのコネクタをそのレンズ・アセンブリにラッチする。リリース・レバーは前方部に接続されており、リリース・レバーの一部分は光学エンジンのモジュール・ハウジングから突出する。リリース・レバーは、モジュール・ハウジングから突出するリリース・レバーの一部分に対する特定の閾値の大きさを上回る作動力が加わることに応じて、レンズ・アセンブリからレンズ・ラッチのラッチを解除するように構成されている。この作動力が加わることによって、レンズ・ラッチのラッチを解除する前方部の回動及び移動がもたらされる。
【００１１】
一部の実施形態の多様な態様を記載するために、ここで図面を参照する。図面は実施形態の概略を表現しているものであってこれを限定するものではなく、図面は必ずしも縮尺に応じて描かれていないことが理解される。別段の記載がない限り、図面を通して、同様の番号は一般に同様の構造を参照する。
【００１２】
図１Ａ〜１Ｄは、一例の光電気モジュール１００を示す。詳しくは、図１Ａは光電気モジュール１００の外観図を示す。図１Ｂは、光電気モジュール１００の断面図を示す。図１Ｃは、光電気モジュール１００の部分分解図を示す。図１Ｄは、光電気モジュール１００の別の部分分解図を示す。図１Ａ〜１Ｄにおいて示される光電気モジュール１００は、光学エンジンを備える。光電気モジュール１００の一例は、集積回路間及び／又は回路基板間の高速（例えば、２５ギガバイト毎秒（Ｇ）以上）光インタコネクトのために設計される。これに加えて、又はこれに代えて、光電気モジュール１００は、それぞれがデータを通信するように構成され得る２４光チャネルを受け取るように構成されてよい。
【００１３】
光電気モジュール１００は、ホスト・デバイスの回路基板（図示せず）に実装されてよく、例えば、そのホスト・デバイスとネットワーク（図示せず）との間においてデータを通信するように構成されてよい。光電気モジュール１００は、電気信号を、その電気信号を表す光信号へ変換しても、その逆であってもよい。例えば、光信号の形態のデータは、ネットワークから光ケーブル１０２に沿って光電気モジュール１００に対して通信される。光電気モジュール１００の部品（以下に例を記載する）は、その光信号を、その光信号を表す電気信号へ変換し得る。電気信号は、その後、ホスト・デバイスに対して通信される。同様に、ホスト・デバイスは、電気信号を光電気モジュール１００に対して通信する。光電気モジュール１００は、その電気信号を、その電気信号を表す光信号へ変換し得る
。その光信号は、光ケーブル１０２に沿ってネットワーク中を、例えば別の光学モジュールに対して通信し得る。
【００１４】
光電気モジュール１００は、モジュール・ハウジング１４０を備え得る。モジュール・ハウジング１４０は、一般に、そのモジュール・ハウジング１４０内に配置される部品を保護し得る。それに加えて、モジュール・ハウジング１４０は熱を放出し得る。図示される光電気モジュール１００において、例えば、モジュール・ハウジング１４０は、その光電気モジュール１００から熱を放出するように構成されている１つ以上の放熱構造１４２を有してよい。放熱構造１４２の１つのみが、図１Ａ〜１Ｄにおいてラベル付けされている。一部の実施形態において、１つ以上の放熱構造は、モジュール・ハウジング１４０に取り外し可能に取り付けられてよい。これに加えて、又はこれに代えて、放熱構造１４２は省略されてもよい。
【００１５】
モジュール・ハウジング１４０は、また、放熱構造１４２のうちの１つ以上の間に形成されるケーブル経路１４４（図１Ａ及び１Ｃのみ）を備える。光電気モジュール１００に近接して配置される他の光電気モジュールにおける１つ以上の光ケーブル（例えば、１０２）は、ケーブル経路１４４に配置され得る。ケーブル経路１４４に光ケーブルを配置することは、それらの光ケーブルがもつれたり損傷したりする可能性を防ぐか、減少させ得る。一部の実施形態において、６つまで、又はそれ以上の光ケーブル（それぞれ他の光電気モジュールからのもの）が、ケーブル経路１４４に配置されてよい。複数の光電気モジュールを備える一実施形態の一部の追加の詳細は、図６Ａ及び６Ｂを参照して論じられる。
【００１６】
一部の実施形態において、ケーブル経路１４４は傾斜部１４６（図１Ａ及び１Ｂのみ）を有してよい。図１Ｂにおいて最も良く示されるように、光ケーブル１０２は出口高さ１４８Ａで光電気モジュール１００を出てよい。出口高さ１４８Ａは、一般に、１つ以上の他の光電気モジュールの光ケーブルがケーブル経路１４４に入る入口高さ１４８Ｂに対応してよい。傾斜部１４６は、その後、その傾斜部１４６がモジュール・ハウジング１４０の上面１５４（図１Ａ及び１Ｂのみ）と交差するまで、次第に高さを増加させてよい。
【００１７】
傾斜部角度（角度）１５０（図１Ｂのみ）は、傾斜部１４６の外面と水平基準面１５６（図１Ｂのみ）との間に形成され得る。角度１５０、及び／又は光電気モジュール１００と近接する光電気モジュールとの間の分離は、１つ以上のケーブルに対して加えられる過剰な屈曲を防ぐように構成され得る。例えば、この角度１５０及び／又は分離によって、近接する光電気モジュールを出て傾斜部１４６におけるケーブル経路１４４に入る１つ以上の光ケーブルの最大許容屈曲半径が超過されていないことを確実にすることができる。
【００１８】
特に、図１Ｂに示されるように、光ケーブル１０２は比較的水平、すなわち、０度の角度で光電気モジュール１００を出てよい。光ケーブル１０２は、光電気モジュール１００と実質的に同様の近接する光モジュールの傾斜部（例えば、傾斜部１４６）によって、上向き（例えば、任意に定義されるｘｙｚデカルト座標系に含まれる、任意に定義される正のｙ方向）に再配向されてよい。近接する光モジュールの角度１５０は、したがって、光ケーブル１０２が許容屈曲半径を超過しないようにその光ケーブル１０２を支持し得る。屈曲半径が超過される可能性を減少させることは、光ケーブル１０２が損傷される可能性を減少させ得る。角度１５０は、その光ケーブル１０２に含まれる光ファイバの種類、及び／又は、ケーブル経路１４４に配置され得る複数の光ケーブル（例えば、１０２）又は光ファイバに基づいてよい。
【００１９】
図１Ｂ及び１Ｃを参照すると、レンズ・アセンブリ４００、プリント回路基板（ＰＣＢ）１１０、ヒート・シンク１３８及びモジュール基板１１２は、モジュール・ハウジング
１４０内に配置され得る。レンズ・アセンブリ４００は、ＰＣＢ１１０に実装される１つ以上の部品（図示せず）の上に配置され得る。ヒート・シンク１３８は、ＰＣＢ１１０に実装される１つ以上の部品からモジュール・ハウジング１４０へ、熱を伝達するように構成され得る。
【００２０】
レンズ・アセンブリ４００は、コネクタ３００を受け取るように構成され得る。光ケーブル１０２は、光信号が光ケーブル１０２とコネクタ３００との間において通信されるように、コネクタ３００に光学的に結合され得る。コネクタ３００は光ケーブル１０２と光学的に結合されてよく、光信号がさらに通信され得るインタフェースであってもよい。例えば、光信号は光ケーブル１０２からコネクタ３００へ、その後、レンズ・アセンブリ４００に対して通信されてよい。レンズ・アセンブリ４００に受け取られるとき、その光信号は、そのレンズ・アセンブリ４００によってＰＣＢ１１０に実装される１つ以上の部品に対して通信されてよい。本明細書で使用されるように、用語「光インタフェース」は、コネクタ３００と、光ケーブル１０２上で伝送される光信号とのインタフェースを提供する同様の及び／又は類似の構造とを記載するために使用されてよい。図示される光電気モジュール１００において、光ケーブル１０２は、例えばリボン光ファイバを含んでもよい。これに加えて、又はこれに代えて、コネクタ３００はプラグ式ＭＴ（ｍｅｃｈａｎｉｃａｌ  ｔｒａｎｓｆｅｒ）コネクタを含んでもよい。
【００２１】
図１Ｂ〜１Ｄを参照すると、コネクタ３００とレンズ・アセンブリ４００との間の係合とアライメントとは、ケーブル・クリップ（クリップ）２００によって維持され得る。詳しくは、クリップ２００はコネクタ３００を保持し得る。本明細書により詳細に記載されるように、コネクタ３００がレンズ・アセンブリ４００内に受け取られるとき、クリップ２００はレンズ・アセンブリ４００及び／又はモジュール・ハウジング１４０に対してラッチし得る。
【００２２】
図１Ｄにおいて最も良く示されるように、クリップ２００は、コネクタ・アセンブリ１８０（図１Ｄのみ）を形成するために、ダストシール１２２及びコネクタ３００と共に備えられ得る。ダストシール１２２は、コネクタ３００とクリップ２００とを部分的に囲むように構成され得る。ダストシール１２２は、コネクタ３００がレンズ・アセンブリ４００内に受け取られるとき、モジュール・ハウジング１４０の中へのダスト又は同様の不要な材料の導入を減少させ得る。詳しくは、ダストシール１２２は、モジュール開口部１２４（図１Ｂ及び１Ｃのみ）に対応し、コネクタ３００の一部分を部分的に囲むように形作られ得る。コネクタ３００がレンズ・アセンブリ４００内に受け取られるとき、及び／又は、コネクタ３００が一般にモジュール開口部１２４に配置されるとき、ダストシール１２２はコネクタ３００とモジュール開口部１２４との間の空間を実質的に満たし、それによってダスト及び／又は他の粒子の侵入を防ぐか、実質的に防ぎ得る。
【００２３】
図１Ａ〜１Ｄを参照すると、コネクタ・アセンブリ１８０はモジュール開口部１２４を通してモジュール・ハウジング１４０の中に導入され得る。図１Ｄは、モジュール・ハウジング１４０の外にあるコネクタ・アセンブリ１８０を示す。図１Ａ及び１Ｂは、モジュール・ハウジング１４０内に配置されるコネクタ・アセンブリ１８０を示す。
【００２４】
レンズ・アセンブリ４００はモジュール・ハウジング１４０内に配置され得る。一部の実施形態において、レンズ・アセンブリ４００はモジュール基板１１２に実装されてよい。コネクタ・アセンブリ１８０は、レンズ・アセンブリ４００がコネクタ３００を受け取るように、モジュール開口部１２４を通して導入されてよい。
【００２５】
図１Ｂ及び図１Ｃにおいて最も良く示されるように、コネクタ３００がレンズ・アセンブリ４００内に受け取られるとき、リリース・レバー２２０（又はその一部分）はモジュ
ール・ハウジング１４０を過ぎて（例えば、任意に定義される負のｘ方向にさらに）延在し得る。モジュール・ハウジング１４０から突出することによって、リリース・レバー２２０は、そのモジュール・ハウジング１４０の取り外し又は分解をすることなく、そのリリース・レバー２２０に対する作動力２３６（図１Ｂのみ）が加わることを可能にする。作動力２３６は、レンズ・アセンブリ４００からのコネクタ３００の脱係合を可能にし、モジュール・ハウジング１４０からのクリップ２００の脱係合を可能にする。コネクタ３００がレンズ・アセンブリ４００から脱係合され、クリップ２００がモジュール・ハウジング１４０から脱係合されるとき、コネクタ・アセンブリ１８０はモジュール・ハウジング１４０から取り外され得る。このように、クリップ２００は、コネクタ３００をレンズ・アセンブリ４００へ固定し、コネクタ３００とレンズ・アセンブリ４００との間の係合を維持し、光電気モジュール１００の取り外し又は分解をすることなく、モジュール・ハウジング１４０からクリップ２００を、レンズ・アセンブリ４００からコネクタ３００を脱係合可能にする。
【００２６】
図２Ａ〜２Ｃはクリップ２００の一例の実施形態を示す。クリップ２００は、図１Ａ〜１Ｄの光電気モジュール１００におけるクリップ２００として実施され得る。図２Ａは、クリップ２００の斜視図を示す。図２Ｂは、クリップ２００の側面図を示す。図２Ｃは、クリップ２００の正面図を示す。クリップ２００は、光インタフェースとレンズ・アセンブリとの間の係合を維持するように構成され得る。これに加えて、ユーザはクリップ２００のラッチを解除し、光インタフェースとレンズ・アセンブリとを備える光電気モジュールを分解することなく、レンズ・アセンブリから光インタフェースを脱係合させ得る。例えば、図１Ａ〜１Ｄ及び図２Ａ〜２Ｃを組み合わせて参照すると、クリップ２００は、モジュール・ハウジング１４０内に配置されるコネクタ３００とレンズ・アセンブリ４００との間の係合を維持するように構成されてよい。ユーザはレンズ・アセンブリ４００からクリップ２００のラッチを解除し、レンズ・アセンブリ４００からコネクタ３００を脱係合してもよい。ユーザは、その後、モジュール・ハウジング１４０からコネクタ３００とクリップ２００とを引き出してよい。
【００２７】
図２Ａ〜５Ｂを参照すると、クリップ２００の一例の実施形態は、コネクタ３００とレンズ・アセンブリ４００と光電気モジュール１００とへの参照を含み得る図１Ａ〜１Ｄの文脈により記載される。しかし、クリップ２００の実施形態は、他のプラグ式ＭＴコネクタなどの他の光インタフェースと共に、及び／又は他の光電気モジュールと共に使用されてもよい。
【００２８】
図２Ａ〜２Ｃを参照すると、クリップ２００はコネクタ保持機構２０２を備え得る。コネクタ保持機構２０２は、光インタフェースを保持するように構成され得る。コネクタ保持機構２０２は、一般に、クリップ２００に対する光インタフェースの位置を支持し、維持し得る。
【００２９】
一部の実施形態において、コネクタ保持機構２０２は１つ以上の保持腕部２０４を備えてよい。保持腕部２０４は、光インタフェースの少なくとも一部分を少なくとも部分的に囲むように構成され得る。本実施形態及び他の実施形態において、保持腕部２０４のそれぞれは鉛直部分２０８を有してよい。鉛直部分２０８の寸法は、特定の光インタフェースを収容するように構成され得る。例えば、保持腕部２０４は、本明細書で論じられるコネクタ３００を少なくとも部分的に囲むように構成されてよい。したがって、鉛直部分２０８は、コネクタ３００の１つ以上の側面に実質的に接触するように構成されてよい。
【００３０】
一部の実施形態において、保持腕部２０４は鉛直部分２０８を省略してもよく、一体化又は延在させてもよく、及び／又は、コネクタ保持機構２０２が弾力（すなわち、圧縮力）によって光インタフェースを保持するように、鉛直部分２０８は選択された寸法を有し
てもよい。これに加えて、又はこれに代えて、保持腕部２０４は、保持腕部２０４の間において少なくとも部分的に延在するように構成されている水平部分を有してもよい。水平部分は、コネクタ３００の底面の一部分を支持する（すなわち、コネクタ３００の底面の一部分に近接して配置されるように構成される）ことができる。
【００３１】
コネクタ保持機構２０２は後部インタフェース支持部２１２を備え得る。後部インタフェース支持部２１２は、その中に保持されている光インタフェースを支持するように構成され得る。これに加えて、一部の実施形態において、コネクタ保持機構２０２は、光インタフェースに対して第１の保持力２４４Ａ及び／又は第２の保持力２４４Ｂ（図２Ａ及び２Ｂのみ）（一般に、保持力２４４）を加えるように構成されてよい。
【００３２】
クリップ２００において、後部インタフェース支持部２１２は１つ以上の保持ばね腕部２６０を備え得る。保持ばね腕部２６０は、一部の状況において光インタフェースに対して保持力２４４のうちの１つ以上を加えるように構成され得る。例えば、一部の構成において、保持ばね腕部２６０は、コネクタ保持機構２０２が光インタフェースを保持するときに保持力２４４を加えるように構成されてよい。これに加えて、又はこれに代えて、光インタフェースは後部インタフェース支持部２１２に対して力を加えてもよい。光インタフェースによって加えられる力は、実質的に負のｘ方向にある方向を有してよい。保持ばね腕部２６０は弾性的に曲がるように構成され、光インタフェースによって加えられる力を相殺する保持力２４４をもたらし得る。これらの状況又は他の状況において、保持力２４４は、レンズ・アセンブリとの係合を可能にするために配置されるクリップ２００に対して光インタフェースを前方の（例えば、より大きなｘ座標を持つ）位置に維持し得る。
【００３３】
これに加えて、一部の実施形態において、保持力２４４のうちの１つ以上が光インタフェースをコネクタ保持機構２０２の中に「スナップフィット」させてもよい。例えば、保持ばね腕部２６０は、光インタフェースを保持するために十分な大きさを持つ保持力２４４を加えるように構成されてよい。
【００３４】
保持ばね腕部２６０は、アーチ部２６２、水平部２６８及び鉛直部２６４を有してよい。アーチ部２６２は、負のｘ方向へ力を加えることに応じて弾性的に曲がるように構成されている保持ばね腕部２６０の一部を備え得る。鉛直部２６４と水平部２６８とは、コネクタ保持機構２０２に保持されている光インタフェースと接触するように構成されている保持ばね腕部２６０の一部を備え得る。保持力２４４がゼロではない状況において、保持ばね腕部２６０の鉛直部２６４と水平部２６８とは、一方又は両方の保持力２４４を光インタフェースに伝達し得る。
【００３５】
例えば、図２Ｂを詳細に参照すると、保持ばね腕部２６０はクリップ本体２２６（図２Ａ及び２Ｂのみ）から延在してもよい。アーチ部２６２は、負のｘ方向にアーチ状であってよい。鉛直部２６４に対して負のｘ方向に力が加えられるとき、アーチ部２６２は曲げられ得る。これに応じて、第１の保持力２４４Ａは、正のｘ方向をもたらし得る。
【００３６】
図２Ｂを参照すると、一部の実施形態において、後部インタフェース支持部２１２はコネクタ高さ２６６を定めてよい。コネクタ高さ２６６は、水平部２６８と上方支持部２５４（図２Ａ及び２Ｂのみ）との間に定められてよい。コネクタ高さ２６６は、特定の光コネクタを支持するようにサイズを決定されてよい。これに加えて、コネクタ高さ２６６は、後部インタフェース支持部２１２の中への光コネクタの導入によって、その光コネクタを少なくとも部分的に保持する第２の保持力２４４Ｂがもたらされるように、サイズを決定されてよい。
【００３７】
後部インタフェース支持部２１２の１つ以上の寸法は、光インタフェースを受動的に支
持するように構成され得る。これらの実施形態又は他の実施形態において、後部インタフェース支持部２１２に対して力が加えられない限り、及び／又はその中に光インタフェースが保持されない限り、保持力２４４は実質的にゼロであり得る。後部インタフェース支持部２１２に力が加えられる、すなわち、光インタフェースが保持されているとき、保持力２４４のうちの１つ以上の大きさはゼロ以外となり得る。これに代えて、又はこれに加えて、クリップ２００に保持されている光インタフェースに対して加えられる反対方向の力の大きさによって、保持力２４４は大きさにおいて変化してもよい。このように、後部インタフェース支持部は、負のｘ方向における後部インタフェース支持部２１２を越える光インタフェースの動きを防ぐための止め具として機能し得る。
【００３８】
上方支持部２５４（前述に詳しい）はクリップ本体２２６から延在し、複数の保持ばね腕部２６０へと分かれ得る。クリップ本体２２６は、クリップ肩部２１６においてクリップ２００の前方部２４２に接続され得る。クリップ肩部２１６は、クリップ本体２２６と前方部２４２との間の材料のアーチを有してよい。材料のアーチには、いくらかの偏向及び／又は曲げが許される。クリップ肩部２１６は、クリップ本体２２６とコネクタ保持機構２０２とが実質的にクリップ２００の前方部から独立して回動するように構成され得る。例えば、クリップ２００が作動される（後述に詳しい）際、コネクタ保持機構２０２は、ｚ軸について前方部ほどは大きく回動しないか、全く回動しなくてよい。
【００３９】
例えば、図１Ｂ及び２Ｂと組み合わせて参照すると、コネクタ３００がレンズ・アセンブリ４００に受け取られるとき、コネクタとコネクタ保持機構２０２とが束縛され得る。このように、これらの状況及び他の状況において、レンズ・アセンブリ４００は、コネクタ保持機構２０２の回動を実質的に防ぐことができる。
【００４０】
再び図２Ａ〜２Ｃを参照すると、クリップ２００はリリース・レバー２２０及びレンズ・ラッチ２２８も備え得る。レンズ・ラッチ２２８は、光インタフェースに係合するレンズ・アセンブリを維持するように構成され得る。レンズ・ラッチ２２８は、前方部２４２の第１端部２３０に配置され得る。本実施形態及び他の実施形態において、レンズ・ラッチ２２８は丸み部分２４０も有してよい。丸み部分２４０は、コネクタ保持機構２０２に保持されている光インタフェースがレンズ・アセンブリの中に導入されるときの干渉を減らすように構成され得る。
【００４１】
リリース・レバー２２０は、レンズ・ラッチ２２８のラッチを解除して、光インタフェースをレンズ・アセンブリから脱係合させるように構成され得る。リリース・レバー２２０は、そのリリース・レバー２２０の第２端部で前方部２４２に接続され得る。一部の実施形態において、前方部２４２への接続部は実質的に剛直であってよい。リリース・レバー２２０の前方部２４２への接続部を参照して使用されるとき、用語「実質的に剛直」は、リリース・レバー２２０の第１端部２３２（図２Ａ及び２Ｂのみ）に対して加えられる力が、その接続部を介して前方部２４２へ伝達されることを示し得る。例を挙げると、第１端部２３２への力（例えば、後述の２３６）に応じて動くリリース・レバー２２０だけではなく、前方部２４２も動いてよい。
【００４２】
図２Ｂを詳細に参照すると、本実施形態及び他の実施形態において、一部の状況においてラッチ力２３４はレンズ・アセンブリに影響を及ぼし得る。例えば、一部の実施形態において、クリップ２００は、ラッチ力２３４がゼロ以外の大きさを持つように構成されてよい。例えば、クリップ２００は、クリップ本体２２６と前方部２４２との間の材料のアーチを持つクリップ肩部２１６を有してよい。レンズ・アセンブリが受け取る光インタフェースをクリップ２００が保持するとき、材料のアーチは、ゼロ以外の大きさを持つラッチ力２３４をもたらすことができる。そのうえ、これらの実施形態及び他の実施形態において、クリップ２００の１つ以上の寸法は、光インタフェースがレンズ・アセンブリ内に
受け取られるとき、クリップ２００が伸ばされることでラッチ力２３４がもたらされるように構成されてよい。
【００４３】
一部の実施形態において、クリップ２００に対して、又はレンズ・アセンブリから光インタフェースを取り外そうとする別の部品に対して力が加えられない限りラッチ力２３４の大きさが実質的にゼロであるように、クリップ２００の１つ以上の寸法が構成されてよい。これらの実施形態において、力が加えられるとき、ラッチ力２３４の大きさはゼロ以外となってよい。ラッチ力２３４がゼロ以外である状況におけるラッチ力２３４について後述する。
【００４４】
ラッチ力２３４がゼロ以外の大きさを持つとき、レンズ・アセンブリはコネクタ保持機構２０２に保持されている光インタフェースに対して押圧され得る。したがって、レンズ・ラッチ２２８は、正のｘ方向におけるレンズ・ラッチ２２８を越えるレンズ・アセンブリの動きを防ぐ止め具として機能し得る。ラッチ力２３４は保持力２４４と組み合わされ、レンズ・アセンブリと光インタフェースとを係合されている構成に維持し得る。
【００４５】
レンズ・アセンブリからレンズ・ラッチ２２８のラッチを解除するリリース・レバー２２０を作動させるために、リリース・レバー２２０に対して作動力２３６が加えられてよい。作動力２３６は、リリース・レバー２２０の第１端部２３２を負のｙ方向に移動させ得る。結果として、後述により詳細に記載されるように、リリース・レバー２２０の第２端部２５２（ひいてはレンズ・ラッチ２２８）は正のｙ方向に移動され得る。正のｙ方向におけるレンズ・ラッチ２２８の移動は、図２Ｂにおいて矢印２３８によって表される。詳しくは、図示されるクリップ２００において、レンズ・ラッチ２２８を有するクリップ２００の前方部２４２は、レンズ・アセンブリからレンズ・ラッチを脱係合させるために正のｙ方向に移動され得る。
【００４６】
例えば、クリップ２００の前方部２４２はクリップ肩部２１６の周りを時計回り（図２Ｂの向きにしたがう）に回動してよい。レンズ・ラッチ２２８が正のｙ方向に予め定義される距離（例えば、レンズ・ラッチ２２８の高さ）移動されると、もはやラッチ力２３４はレンズ・アセンブリに影響を及ぼし得ない、及び／又は、もはやレンズ・ラッチ２２８はレンズ・アセンブリに干渉しないほど十分に移動される。もはやラッチ力２３４がレンズ・アセンブリに影響を及ぼさない場合、及び／又は、もはやレンズ・ラッチ２２８がレンズ・アセンブリと干渉しないほど十分に移動される場合、クリップ２００とコネクタ保持機構２０２の保持する光インタフェースとは、レンズ・アセンブリから脱係合されてよい。
【００４７】
一部の実施形態において、リリース・レバー２２０は予圧力２５６を有してよい。予圧力２５６は、一般にリリース・レバー２２０を、図２Ｂにおいて示される角度位置など、クリップ本体２２６に対する角度位置に戻し得る。例えば、作動力２３６がリリース・レバー２２０から取り除かれた後、予圧力２５６は、リリース・レバー２２０を図２Ｂにおいて示されるクリップ本体２２６に対する角度位置に戻し得る。予圧力２５６は、大きさが変化する場合がある。例を挙げると、クリップ２００が外に出ている状態（例えば、図１Ｃ及び１Ｄに示されるように）のとき、予圧力２５６は実質的にゼロの大きさを持ち得る。これに加えて、光電気モジュールの中への挿入の後にリリース・レバー２２０が下向きに移動されるとき、予圧力２５６はゼロ以外のいくらかの大きさを持ち得る。
【００４８】
図２Ａ〜２Ｃを参照すると、リリース・レバー２２０は、二次ラッチ２５８も有してよい。二次ラッチ２５８は、モジュール・ハウジングに形成される二次ラッチ開口部に係合するように構成され得る。例えば、図１Ｂと図２Ａ〜２Ｃとを組み合わせて参照すると、二次ラッチ開口部１２０はモジュール・ハウジングに形成されてよい。二次ラッチ２５８
は、クリップ２００がモジュール・ハウジング１４０内に配置されるとき、二次ラッチ開口部１２０に係合するように構成されてよい。リリース・レバー２２０に対して作動力２３６が加えられるとき、リリース・レバー２２０の第１端部２３２の負のｙ方向において結果として生じる移動は、モジュール・ハウジング１４０に形成されるラッチ開口部１２０から二次ラッチ２５８を脱係合させ、前述のように前方部２４２を正のｙ方向において移動させ得る。レンズ・ラッチ２２８が正のｙ方向に予め定義される距離移動され、二次ラッチ２５８がラッチ開口部１２０から脱係合されるとき、コネクタ３００はレンズ・アセンブリ４００から脱係合され、モジュール・ハウジング１４０から引き出され得る。
【００４９】
これに加えて、図１Ｂと２Ｂとを組み合わせて参照すると、クリップ２００の寸法はモジュール・ハウジング１４０に関連して決められ得る。例えば、リリース・レバー２２０は、モジュール・ハウジング１４０から突出するようにサイズを決定されてよい。詳しくは、リリース・レバー２２０は、リリース・レバー２２０の第２端部２５２とリリース・レバー２２０の第１端部２３２との間によって定められる長さ２５０を有してよい。長さ２５０は、リリース・レバー２２０の一部分がモジュール・ハウジング１４０から突出するように定められ得る。一部の実施形態において、リリース・レバー２２０はハンドルを備え得る。
【００５０】
再び図２Ａ〜２Ｃを参照すると、一部の実施形態において、クリップ２００はレンズ安定化腕部２７０を備えてよい。レンズ安定化腕部２７０は、実質的に正のｘ方向に延在し得る。レンズ安定化腕部２７０は、正及び負のｚ方向における動きを減少させるために、レンズ・アセンブリの側部に接触するように構成され得る。より一般に、レンズ安定化腕部２７０は、レンズ・アセンブリをｚ方向において複数のレンズ安定化腕部２７０の間に拘束し得る。
【００５１】
図２Ｃを参照すると、クリップ２００は、特定の光インタフェース及び／又は特定のレンズ・アセンブリに対応するように構成され得る。例えば、複数の保持ばね腕部２６０は第１の距離２７４によって分けられてよい。第１の距離２７４は、例を挙げると、特定のＭＴコネクタの幅に対応してもよい。第１の距離２７４は、特定のコネクタを複数の保持ばね腕部２６０の間に配置させてもよく、特定のコネクタを、複数の保持ばね腕部２６０がその特定の光インタフェースの１つ以上の表面に接触するか、該１つ以上の表面から特定のクリアランスを持つようにさせてもよく、その両方であってもよい。
【００５２】
これに加えて、クリップ２００は特定のレンズ・アセンブリに対応するように構成され得る。例えば、複数のレンズ安定化腕部２７０、それらの上に設けられる複数のディンプル２８２、またはその両方は、第２の長さ２７２によって分けられてよい。レンズ安定化腕部２７０が特定のレンズ・アセンブリの１つ以上の表面に接触するか、少なくとも、複数のレンズ安定化腕部２７０がそれらの間にあるレンズ・アセンブリをｚ方向において拘束するように、第２の長さ２７２は決定され得る。ディンプル２８２を有する一部の実施形態において、第２の長さ２７２は、ディンプル２８２が特定のレンズ・アセンブリ上のキャビティ又は凹部に受け取られるように決定され得る。特定のレンズ・アセンブリ上のキャビティ又は凹部に受け取られるとき、ディンプル２８２は、ｚ方向及び／又はｘ方向において光インタフェースと特定のレンズ・アセンブリとの間の係合を維持するために機能する力を寄与し得る。
【００５３】
引き続き図２Ｃを参照すると、レンズ・ラッチ２２８はレンズ・ラッチ長さ２７８を持ち得る。レンズ・ラッチ長さ２７８は、第２の長さ２７２及び／又はレンズ・アセンブリの幅よりも大きくあり得る。レンズ・ラッチ長さ２７８は、レンズ・ラッチ２２８と光インタフェースを受け取るように構成されているレンズ・アセンブリ開口部との間の衝突を減少させることができる。
【００５４】
これに加えて、後部インタフェース支持部２１２は後部支持部長さ２８７を有してよい。後部支持部長さ２７６は、図１Ａ〜１Ｄのダストシール１２２などのダストシールが取り付けられる構造を提供し得る。ダストシールが取り付けられる構造における一部の追加の詳細は、図５Ａ及び５Ｂを参照して後述される。
【００５５】
図３Ａ及び３Ｂは図２Ａ〜２Ｃのクリップ２００を示し、クリップ２００は図１Ａ〜１Ｄを参照して論じられるコネクタ３００の一例を保持する。コネクタ３００は、本明細書において用いられる用語であるところの光インタフェースの一例である。図示される実施形態におけるコネクタ３００は、プラグ式ＭＴコネクタである。一部の実施形態において、クリップ２００は、他の種類の光インタフェースを保持するように構成されてもよい。図３Ａはコネクタ３００を保持するクリップ２００の側面図を示し、図３Ｂはそのコネクタ３００を保持するクリップ２００の斜視図を示す。
【００５６】
前述されるように、クリップ２００は、コネクタ３００を保持し、クリップ２００に対して前方の位置に（例えば、より大きなｘの寸法を持って）コネクタ３００を維持するように構成され得る。その前方の位置において、コネクタ３００の挿入可能部分３０２は保持腕部２０４の前方であり得る。挿入可能部分３０２は、レンズ・アセンブリ（図３Ａ及び３Ｂに示さず）に対して受け取られる、導入される、又は配置されるコネクタ３００の一部分を有し得る。
【００５７】
これに加えて、コネクタ３００は被支持部分３０８（図３Ｂのみ）も備え得る。被支持部分３０８は、保持腕部２０４によって接触されるコネクタ３００の一部分を備えるか、より一般に、保持腕部２０４によって実質的に閉じ込められる（ｅｎｃｌｏｓｅｄ）、包まれる（ｅｎｖｅｌｏｐｅｄ）又は囲まれる（ｓｕｒｒｏｕｎｄｅｄ）コネクタ３００の一部分を備え得る。本実施形態及び他の実施形態において、保持腕部２０４は、コネクタ３００の２つの側部の一部に沿う被支持部分３０８に接触する、及び／又は、近接して配置され得る。一部の実施形態において、保持腕部２０４は、被支持部分３０８の１つ以上の側部全体、コネクタ３００の底部全体、又はそれらの側部若しくは底部の１つ以上に接触しない保持腕部２０４などに接触しても、及び／又は、近接して配置されてもよい。
【００５８】
コネクタ３００は、後部分３０４も備え得る。コネクタ保持機構２０２に保持されているとき、後部分３０４は後部インタフェース支持部２１２の中に配置され得る。図３Ｂにおいて最も良く示されるように、本実施形態及び他の実施形態において、後部分３０４は保持腕部２０４を過ぎて（より大きな又は小さなｚ座標を持って）延在してよい。保持ばね腕部２６０は後部分３０４の後面３１８に対して第１の保持力２４４Ａを加え、後部分３０４の前面３２０は保持腕部２０４に対して押圧され得る。後部分３０４の前面３２０が保持腕部２０４に対して押圧されることによって、挿入可能部分３０２は保持腕部２０４の前方に維持されることができ、コネクタ３００はコネクタ保持機構２０２の中に保持されることができる。
【００５９】
コネクタ保持機構２０２は、また、コネクタ３００をｙ方向において固定し得る。詳しくは、後部分３０４は、上方支持部２５４と水平部２６８とによって支持される、及び／又は、上方支持部２５４と水平部２６８との間において保たれることができる。これに加えて、又はこれに代えて、被支持部分２５４は、保持腕部２０４の水平部２６８とクリップ本体２２６とによって支持される、及び／又は、保持腕部２０４の水平部２６８とクリップ本体２２６との間において保たれることができる。クリップ２００に対するコネクタ３００の運動は、したがって限定され得る。一部の実施形態において、コネクタ３００を固定することによって、鉛直クリアランス３１４（図３Ａのみ）。鉛直クリアランス３１４は、第１のクリップ２００が物理的に干渉することなく、レンズ・アセンブリの中に挿
入可能部分３０２を受け取ることを可能にすることができる。
【００６０】
コネクタ３００は、ケーブル支持部分３０６も備え得る。ケーブル支持部分３０６は、一般に、１つ以上の光ケーブル（例えば、図１Ａ〜１Ｄの光ケーブル１０２）を支持するコネクタ３００の一部分を備える。例えば、１つ以上の光ケーブルはケーブル支持部分３０６の中に受け取られるか、ケーブル支持部分３０６に対して結合されてよい。図２Ｃ及び３Ｂを組み合わせて参照すると、第１の距離２７４はコネクタ３００のケーブル支持部分３０６を収容するようにサイズを決定され得る。
【００６１】
図４Ａ及び４Ｂは、レンズ・アセンブリ４００の一例に係合するコネクタ３００を保持している、図２Ａ〜２Ｃのクリップ２００を示す。クリップ２００は、レンズ・アセンブリ４００に係合するコネクタ３００を維持し、コネクタ３００とレンズ・アセンブリ４００との間のアライメントを維持するように構成され得る。これに加えて、クリップ２００は、レンズ・アセンブリ４００からのコネクタ３００の脱係合を可能にする作動力２３６が加わることを通してラッチが解除されるように構成され得る。図４Ａは、レンズ・アセンブリ４００に係合するコネクタ３００を保持するクリップ２００の斜視図を示し、図４Ｂは、レンズ・アセンブリ４００に係合するコネクタ３００を保持するクリップ２００の側面図を示す。
【００６２】
レンズ・ラッチ２２８は、レンズ・アセンブリ４００の前面４０４に対してラッチ力２３４を加えるように構成され得る。より一般に、レンズ・ラッチ２２８は、レンズ・アセンブリ４００の前面４０４に係合するように構成されており、それによって、レンズ・アセンブリ４００に対して負のｘ方向におけるクリップ２００とコネクタ３００との運動を防ぐことができる。第１の保持力２４４Ａが実質的に正のｘ方向に向けられる一方で、ラッチ力２３４は実質的に負のｘ方向に向けられ得る。第１の保持力２４４Ａ及び／又はラッチ力２３４は、このようにコネクタ３００とレンズ・アセンブリ４００との間の係合を維持し得る。
【００６３】
本実施形態及び他の実施形態において、レンズ・ラッチ２２８は、前面４０４の長さ４０６に沿ってラッチ力２３４を加えるように構成されてよい。したがって、ラッチ力２３４は、長さ４０６に沿っておよそ均等に伝達されてよい。このように、レンズ・ラッチ２２８は、レンズ・アセンブリ４００とコネクタ３００との間のアライメントの維持も行うことができる。
【００６４】
リリース・レバー２２０が作動力２３６によって作動されるとき、コネクタ保持機構２０２は比較的一定に保たれ得る。前方部２４２は、ラッチ力２３４が前面４０４から脱係合するようにレンズ・ラッチ２２８を実質的に正のｙ方向に移動させるクリップ肩部２１６の周りを時計回りに回動し得る。実質的にレンズ・ラッチ２２８の正のｙ方向における移動は、図４Ａ及び４Ｂにおいて矢印２３８によって表される。コネクタ３００とクリップ２００とを実質的に負のｘ方向に動かすことによって、コネクタ３００はその後、レンズ・アセンブリ４００から脱係合され得る。
【００６５】
図４Ｂを参照すると、クリップ２００は、レンズ・アセンブリ４００とコネクタ３００との間の確実な係合を生じるように構成され得る。例えば、レンズ・アセンブリ４００はレンズ深さ４０２を持ち得る。クリップ２００は、したがって、レンズ・ラッチ２２８が前面４０４に対してラッチ力２３４を加える状態においてコネクタ３００がレンズ・アセンブリ４００に係合することを可能とする、長さ２８０を有する。
【００６６】
再び図４Ａ及び４Ｂを参照すると、コネクタ３００がレンズ・アセンブリ４００に係合するとき、複数のレンズ安定化腕部２７０はレンズ・アセンブリ４００の側面４１４に接
触するか、その間にあるレンズ・アセンブリ４００をより拘束し得る。図４Ａ及び４Ｂにおいては、１つの側面４１４のみと１つのレンズ安定化腕部２７０のみとが見られる。レンズ安定化腕部２７０と側面４１４との間の接触は、実質的にｚ方向において、コネクタ３００に対するレンズ・アセンブリ４００の動きを減少させ得る。
【００６７】
これに加えて、図４Ａ及び４Ｂに示される実施形態において、ディンプル２８２は、レンズ・アセンブリ４１４上に備えられるキャビティ又は凹部に受け取られるように構成され得る。ディンプル２８２がキャビティ又は凹部に受け取られるとき、コンタクタ３００とレンズ・アセンブリ４００との間の係合の維持を助ける力が作り出され得る。
【００６８】
これらの実施形態及び他の実施形態において、作動力２３６が特定の閾値の大きさを持つ力を含まない限り、レンズ・アセンブリ４００のラッチを解除することは防がれることができる。特定の閾値は、少なくとも部分的には、クリップ２００の材料の選択（例えば、剛性、弾力性、その他）、及び、クリップ肩部（図２Ａ〜２Ｃにおいては２１６）の寸法などによって決定され得る。
【００６９】
これに加えて、本実施形態及び他の実施形態において、レンズ・ラッチ２２８は丸み部分２４０を有し得る。丸み部分２４０は、コネクタ保持機構に保持されているコネクタ３００がレンズ・アセンブリ４００の中に導入されるときの干渉を減少させ得る。詳しくは、コネクタ３００が正のｘ方向に動かされるにつれて、丸み部分２４０はレンズ・アセンブリ４００の上面４１２に沿って摺動し得る。レンズ・ラッチ２２８が前面４０４の前方にある（例えば、より大きな正のｘ座標を持つ）ようにコネクタ３００が動かされるとき、レンズ・ラッチ２２８は負のｙ方向に動くか飛び出して、レンズ・アセンブリ４００をコネクタ３００にラッチし得る。
【００７０】
図５Ａ及び５Ｂは、一例の実施形態のダストシール１２２を持つクリップ２００を示す。図５Ａはダストシール１２２に取り付けられたクリップ２００を示し、図５Ｂはダストシール１２２から分解されたクリップ２００を示す。図５Ａ及び５Ｂにおけるダストシール１２２は、取付構造５０２を有する。取付構造５０２は、クリップ２００をダストシール１２２に取り付けるように構成され得る。取付構造５０２は切取部分５０４を形成し得る。切取部分５０４は後部インタフェース支持部２１２に対応し得る。特に、切取部分５０４は、保持ばね腕部２６０と同様の形を有し得る。
【００７１】
これに加えて、切取部分５０４は取付スロット５０６を有し得る。取付スロット５０６は、上方支持部２５４の一部分を受け取るように構成され得る。図２Ｃ，５Ａ及び５Ｂを組み合わせて参照すると、取付スロット５０６によって受け取られる材料を上方支持部２５４が有するように、後部支持部長さ２７６はサイズを決定され得る。
【００７２】
図６Ａ及び６Ｂは、一例の多モジュール実装６００を示す。図６Ａは多モジュール実装６００の斜視図を示し、図６Ｂは多モジュール実装６００の一部分の側断面図を示す。多モジュール実装６００は、共通の基板６０２に実装され得る、図１Ａ〜１Ｄの光電気モジュール１００の複数の例を含む。
【００７３】
図６Ａを参照すると、多モジュール実装６００は、一般に、複数の光電気モジュール１００（その１つは、図６Ａにおいてラベル付けされる）がお互いに極めて接近して利用される環境において実施され得る、一例のケーブル管理システムを示す。光電気モジュール１００は、行６０４Ａ〜６０４Ｃ（一般に、１つ又は複数の行６０４）と列６０６Ａ〜６０６Ｆ（一般に、１つ又は複数の列６０６）とに並べられてよい。図６Ａ及び６Ｂにおいて、用語「上流」及び「下流」は、光電気モジュール１００間の関係性と、列６００及び行６０４におけるそれらの位置とを示すことが意図される。詳しくは、第１の行６０４Ａ
の第１の列６０６Ａにおける光電気モジュール１００は、第１の行６０４Ａの第２の列６０６Ｂにおける別の光電気モジュール１００の上流にあることが言及される。同様に、第１の行６０４Ａの第２の列６０６Ｂにおける光電気モジュール１００は、第１の行６０４Ａの第１の列６０６Ａにおける光電気モジュール１００の下流にある。
【００７４】
それぞれの行６０４における光電気モジュール１００は、同じように向けられ得る。例えば、行６０４のそれぞれにおいて、光電気モジュール１００は、光ケーブル１０２（図６Ａにおいてラベル付けされるうちの１つのみ）が同一の側部上で光電気モジュール１００から延在するように向けられ得る。例えば、図６Ａにおいて、光電気モジュール１００の２つの側部は実質的にｙｚ平面に対して平行に形成され、光電気モジュール１００の２つの側部は実質的にｘｙ平面に対して平行に形成され得る。ｙｚ平面に対して実質的に水平に向けられ、ｙｚ平面に対して実質的に水平に向けられる第２の側部であるより低いｘ座標を持つ第１の側部から光ケーブル１０２が出るように、光電気モジュール１００は配向されてよい。
【００７５】
この配向により、光電気モジュール１００のそれぞれを出る光ケーブル１０２は、近接する下流の光電気モジュール１００の傾斜部１４６に面する。これに加えて、行６０４のそれぞれにおける光電気モジュール１００のそれぞれのケーブル経路１４４（図６Ａにおいてラベル付けされるうちの１つのみ）は、実質的にアライメントが行われ得る。
【００７６】
光ケーブル１０２を管理するために、光ケーブル１０２のそれぞれは、それぞれの下流の光電気モジュール１００のケーブル経路１４４内に配置されてよい。これに加えて、又はこれに代えて、複数の光ケーブル１０２がケーブル経路１４４において積み重ねられてよい。例えば、一部の実施形態において、上流の光ケーブル１０２のうちの１つ以上は、下流の光電気モジュール１００のうちの１つ以上の光ケーブル１０２の上に積み重ねられてよい。
【００７７】
例えば、図６Ｂは図６Ａの第１の行６０４Ａを示す。図６Ｂにおいて、光電気モジュール１００は、光電気モジュール１００Ａ〜１００Ｆとして個々にラベル付けされる。第１の光電気モジュール１００Ａは第２の光電気モジュール１００Ｂの上流にあり、第２の光電気モジュール１００Ｂは第３の光電気モジュール１００Ｃの上流にある。光電気モジュール１００Ａ〜１００Ｆのそれぞれは、ケーブル経路１４４Ａ〜１４４Ｆと傾斜部１４６Ａ〜１４６Ｆとを有し得る。これに加えて、光ケーブル１０２Ａ〜１０２Ｆ（一般に、１つ又は複数の光ケーブル１０２）は光電気モジュール１００Ａ〜１００Ｆのそれぞれを出る。
【００７８】
第１の光ケーブル１０２Ａが第１の光電気モジュール１００Ａを出る場合、この第１の光ケーブル１０２Ａは、次いで第２の光電気モジュール１００Ｂの第２の傾斜部１４６Ｂの一部分に接触し得る。第１の光ケーブル１０２Ａは、第２の光電気モジュール１００Ｂの第２のケーブル経路１４４Ｂに配置され得る。第２の傾斜部１４４Ｂは、第１の光ケーブル１０２Ａに加えられる屈曲が最大許容屈曲半径を超過しないように構成され得る（例えば、図１Ｂの角度１５０を有する）。
【００７９】
第２の光ケーブル１０２Ｂが第２の光電気モジュール１００Ｂを出る場合、この第２の光ケーブル１０２Ｂは、次いで第３の光電気モジュール１００Ｃの第３の傾斜部１４６Ｃの一部分に接触し得る。第１の光ケーブル１０２Ａと第２の光ケーブル１０２Ｂとは、第３の光電気モジュール１００Ｃの第３のケーブル経路１４４Ｃに配置され得る。第１の光ケーブル１０２Ａは、第３のケーブル経路１４４Ｃにおいて第２の光ケーブル１０２Ｂの上に積み重ねられ得る。第３の傾斜部１４６Ｃは、第２の光ケーブル１０２Ｂに加えられる屈曲が最大許容屈曲半径を超過しないように構成され得る（例えば、図１Ｂの角度１５
０を有する）。同じように、第３の光ケーブル１０２Ｃ、第４の光ケーブル１０２Ｄ及び第５の光ケーブル１０２Ｅは、第１の光ケーブル１０２Ａ及び第２の光ケーブル１０２Ｂと一緒にケーブル経路１４４Ｄ〜１４４Ｆに配置され得る。これに加えて、光ケーブル１０２Ａ〜１０２Ｅのそれぞれは、すぐ下流の光電気モジュール１００Ｄ〜１００Ｆ傾斜部１４６Ｄ〜１４６Ｆによって支持され得る。これに加えて、ケーブル経路１４４に配置されると、光ケーブル１０２の運動はｚ方向において限定され得る。
【００８０】
本発明は、他の特定の形態をもって実施することもできる。前述の実施形態はあらゆる点で単なる例示として解釈されるものであり、限定的に解釈されるものではない。そのため、本発明の範囲は、上述の記載ではなく、特許請求の範囲によって示すものである。特許請求の範囲の均等範囲に属する変更は、すべて本発明の範囲内に包含される。
【図１Ａ】
2016522439.tif 000003
【図１Ｂ】
2016522439.tif 000004
【図１Ｃ】
2016522439.tif 000005
【図１Ｄ】
2016522439.tif 000006
【図２Ａ】
2016522439.tif 000007
【図２Ｂ】
2016522439.tif 000008
【図２Ｃ】
2016522439.tif 000009
【図３Ａ】
2016522439.tif 000010
【図３Ｂ】
2016522439.tif 000011
【図４Ａ】
2016522439.tif 000012
【図４Ｂ】
2016522439.tif 000013
【図５Ａ】
2016522439.tif 000014
【図５Ｂ】
2016522439.tif 000015
【図６Ａ】
2016522439.tif 000016
【図６Ｂ】
2016522439.tif 000017
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
光インタフェースと光電気モジュールに備えられるレンズ・アセンブリとの係合を維持するように構成されているケーブル・クリップであって、
クリップ肩部と、
クリップ本体と、
前記クリップ肩部において前記クリップ本体に取り付けられ、前記クリップ肩部とは反対側に第１端部を備える前方部であって、光インタフェースの一部分が前記レンズ・アセンブリにより受け取られるとき、前記前方部が前記レンズ・アセンブリの外側上面の少なくとも一部分に沿って延在するように前記クリップ本体から実質的に第１の方向に延在する前方部と、
前記光インタフェースを保持するように構成されており、前記クリップ本体から延在するコネクタ保持機構と、
前記第１端部に配置されるレンズ・ラッチであって、前記光インタフェースの前記一部分が前記レンズ・アセンブリ内に受け取られるとき、前記レンズ・アセンブリを前記光インタフェースに対してラッチするために前記レンズ・アセンブリの外側前面に対してラッチ力を加えるように構成されている、レンズ・ラッチと、
前記前方部に接続されているリリース・レバーであって、第２の方向に作動力が加わって前記前方部が前記コネクタ保持機構に対して曲げられるとともに、前記レンズ・ラッチが前記レンズ・アセンブリに対し実質的に前記第２の方とは反対の第３の方向に移動されることに応じて、前記レンズ・アセンブリから前記レンズ・ラッチのラッチを解除するように構成されている、リリース・レバーとを備える、ケーブル・クリップ。
【請求項２】
前記コネクタ保持機構は、
前記光インタフェースを少なくとも部分的に囲むように構成されている保持腕部と、
前記光インタフェースを支持するように構成されている後部インタフェース支持部とを備える、請求項１に記載のケーブル・クリップ。
【請求項３】
前記リリース・レバーは、前記光電気モジュールのモジュール・ハウジングに形成される二次ラッチ開口部に係合するように構成されている二次ラッチを有する、請求項１に記載のケーブル・クリップ。
【請求項４】
前記二次ラッチは、前記作動力が加わることに応じて前記二次ラッチ開口部から脱係合するように構成されている、請求項３に記載のケーブル・クリップ。
【請求項５】
前記リリース・レバーは、前記リリース・レバーの一部分が前記光電気モジュールのモジュール・ハウジングから突出するように形成される、請求項１に記載のケーブル・クリップ。
【請求項６】
前記コネクタ保持機構は後部インタフェース支持部を備え、前記後部インタフェース支持部は、前記コネクタ保持機構に保持されている前記光インタフェースに対し保持力を加えるように構成されている、請求項１に記載のケーブル・クリップ。
【請求項７】
前記レンズ・ラッチは、前記光インタフェースが前記レンズ・アセンブリの中に導入されるときに、前記ケーブル・クリップと前記レンズ・アセンブリとの間の干渉を減らすように構成されている丸み部分を有する、請求項１に記載のケーブル・クリップ。
【請求項８】
光電気モジュールのモジュール・ハウジング内に少なくとも部分的に配置されるように構成されているコネクタ・アセンブリであって、
ケーブル・クリップであって、前記ケーブル・クリップがラッチされている場合に光インタフェースとレンズ・アセンブリとの間の係合を維持し、前記ケーブル・クリップがラッチを解除されている場合に前記レンズ・アセンブリからコネクタを脱係合させるように構成されており、前記ケーブル・クリップは、
クリップ肩部と、
クリップ本体と、
前記クリップ肩部において前記クリップ本体に取り付けられ、前記クリップ肩部とは反対側に第１端部を備える前方部であって、光インタフェースの一部分が前記レンズ・アセンブリにより受け取られるとき、前記前方部が前記レンズ・アセンブリの外側上面の少なくとも一部分に沿って延在するように前記クリップ本体から実質的に第１の方向に延在する前方部と、
前記クリップ本体から延在しており、前記光インタフェースを保持するように構成されているコネクタ保持機構と、
前記第１端部の傍に配置されるレンズ・ラッチであって、前記光インタフェースの前記一部分が前記レンズ・アセンブリ内に受け取られるとき、前記レンズ・アセンブリを前記光インタフェースに対してラッチするために前記レンズ・アセンブリの外側前面に対してラッチ力を加えるように構成されている、レンズ・ラッチと、
リリース・レバーであって、前記前方部に接続されており、前記光インタフェースが前記レンズ・アセンブリにより受け取られるときに前記リリース・レバーの一部分が前記モジュール・ハウジングから突出するように、前記モジュール・ハウジングに関連してサイズを決定されており、前記モジュール・ハウジングから突出する前記リリース・レバーの前記一部分に対し第２の方向に作動力が加わって前記前方部が前記コネクタ保持機構に対して曲げられるとともに、前記レンズ・ラッチが前記レンズ・アセンブリに対し実質的に前記第２の方とは反対の第３の方向に移動されることに応じて、前記ケーブル・クリップのラッチを解除するように構成されている、リリース・レバーと、
前記コネクタ及び前記ケーブル・クリップを少なくとも部分的に囲むように構成されているダストシールであって、前記コネクタとモジュール開口部との間の空間を実質的に満たすようにサイズを決定されており、前記コネクタ・アセンブリは前記モジュール開口部を通じて前記モジュール・ハウジングの中に導入される、ダストシールとを備える、コネクタ・アセンブリ。
【請求項９】
前記ケーブル・クリップは、前記ケーブル・クリップに対して前記コネクタを保持する
ように構成されているコネクタ保持機構を備える、請求項８に記載のコネクタ・アセンブリ。
【請求項１０】
前記コネクタ保持機構は、前記コネクタの後面に対して保持力を加えるように構成されている後部インタフェース支持部を備える、請求項９に記載のコネクタ・アセンブリ。
【請求項１１】
前記ケーブル・クリップは、弾性的に曲がり前記保持力を加えるように構成されている後部インタフェース支持部を備える、請求項１０に記載のコネクタ・アセンブリ。
【請求項１２】
前記ケーブル・クリップは前方部の第１端部に配置されるレンズ・ラッチを有し、前記レンズ・ラッチは、前記コネクタが前記レンズ・アセンブリにより受け取られるときに前記レンズ・アセンブリの前面に接触するように構成されている、請求項８に記載のコネクタ・アセンブリ。
【請求項１３】
前記リリース・レバーは、前記作動力が加わることに応じて前記レンズ・アセンブリから脱係合するように構成されている、請求項１２に記載のコネクタ・アセンブリ。
【請求項１４】
前記リリース・レバーは、前記モジュール・ハウジングに形成される二次ラッチ開口部に係合するように構成されている二次ラッチを有し、
前記リリース・レバーは、前記作動力に応じて前記二次ラッチ開口部から脱係合するように構成されており、
前記ケーブル・クリップは前記コネクタ保持機構から延在する複数のレンズ安定化腕部であって、該複数のレンズ安定化腕部の間に前記レンズ・アセンブリを拘束するように構成されているレンズ安定化腕部を備える、請求項１３に記載のコネクタ・アセンブリ。
【請求項１５】
前記ダストシールは、前記ケーブル・クリップを前記ダストシールに取り付けるように構成されている取付構造を有する、請求項８に記載のコネクタ・アセンブリ。
【請求項１６】
２４チャネルのデータを通信するように構成されている２４個の光チャネルを有する機械式トランスファー（ＭＴ）コネクタと、２５ギガバイト毎秒（Ｇ）以上でデータを通信するように構成されている光電気モジュールに備えられるレンズ・アセンブリとの間の係合を維持するように構成されているケーブル・クリップであって、
複数のクリップ肩部と、
クリップ本体と、
前記ＭＴコネクタを保持するように構成されており、前記クリップ本体から延在するコネクタ保持機構と、
前記複数のクリップ肩部において前記クリップ本体に対し取り付けられ、前記複数のクリップ肩部とは反対側に第１端部を備える前方部であって、ＭＴコネクタの一部分が前記レンズ・アセンブリにより受け取られるとき、前記前方部が前記レンズ・アセンブリの外側上面の少なくとも一部分に沿って延在するように前記クリップ本体から実質的に第１の方向に延在する前方部と、
前記前方部の前記第１端部に配置されており、前記ＭＴコネクタの一部分が前記レンズ・アセンブリ内に受け取られるとき、前記レンズ・アセンブリの外側前面に対してラッチ力を加えるように構成されているレンズ・ラッチと、
前記前方部から延在し、モジュール・ハウジングから部分的に突出するようにサイズを決定されているリリース・レバーであって、第２の方向に前記リリース・レバーに対して作動力が加わることに応じて、前記前方部を前記コネクタ保持機構に対して曲げるとともに、前記レンズ・ラッチを前記レンズ・アセンブリに対し実質的に前記第２の方向とは反対の第３の方向に移動させるように構成されているリリース・レバーとを備える、ケーブル・クリップ。
【請求項１７】
前記コネクタ保持機構は、
前記ＭＴコネクタの被支持部分を少なくとも部分的に囲み、前記ＭＴコネクタの挿入可能部分を囲まないように構成されている保持腕部と、
前記ケーブル・クリップに対して前方の位置に前記ＭＴコネクタを維持するために、前記ＭＴコネクタの後面に対して第１の保持力を加えるように構成されている保持ばね腕部と、
上方支持部及び水平支持部であって、それらの間に前記ＭＴコネクタの後部分を支持するように構成されている、上方支持部及び水平支持部とを有する、請求項１６に記載のケーブル・クリップ。
【請求項１８】
前記コネクタ保持機構から延在する複数のレンズ安定化腕部をさらに備え、前記複数のレンズ安定化腕部は前記複数のレンズ安定化腕部の間に前記レンズ・アセンブリを拘束するように構成されている、請求項１７に記載のケーブル・クリップ。
【請求項１９】
前記リリース・レバーは前記光電気モジュールのモジュール・ハウジングに形成される二次ラッチ開口部に係合するように構成されている二次ラッチを有し、前記二次ラッチは、前記作動力が加わることに応じて前記二次ラッチ開口部から脱係合するようにさらに構成されている、請求項１７に記載のケーブル・クリップ。
【国際調査報告】
2016522439.tif 000018
2016522439.tif 000019
2016522439.tif 000020
2016522439.tif 000021
2016522439.tif 000022